(57)【要約】【課題】  用途に応じて最適なデータ転送を行う。【解決手段】  高速データ転送を行う第１のデータ転送手段１３と、低消費電力でのデータ転送を行う第２のデータ転送手段１４と、第１のデータ転送手段１３と、第２のデータ転送手段１４とを切り替える切り替え手段１２と、切り替え手段１２によって切り替えられた、第１のデータ転送手段１３又は第２のデータ転送手段１４による接続インターフェース１１を介した外部機器２１とのデータ転送にて転送されたデータ及び、切り替え手段１２によって切り替えられた、第１のデータ転送手段１３又は第２のデータ転送手段１４による接続インターフェース１１を介した外部機器２１とのデータ転送にて転送するデータを記憶するデータ記憶手段２０とを備えることで実現する。【選択図】  図２
2005327247.tif 000002
【特許請求の範囲】
【請求項１】
外部機器との接続インターフェースと、
高速データ転送を行う第１のデータ転送手段と、
低消費電力でのデータ転送を行う第２のデータ転送手段と、
上記第１のデータ転送手段と、上記第２のデータ転送手段とを切り替える切り替え手段と、
上記切り替え手段によって切り替えられた、上記第１のデータ転送手段又は上記第２のデータ転送手段による上記接続インターフェースを介した上記外部機器とのデータ転送にて転送されたデータ及び、
上記切り替え手段によって切り替えられた、上記第１のデータ転送手段又は上記第２のデータ転送手段による上記接続インターフェースを介した上記外部機器とのデータ転送にて転送するデータを記憶するデータ記憶手段とを備えること
を特徴とするデータ記憶装置。
【請求項２】
上記第１のデータ転送手段は、ＵＳＢ（Universal Serial Bus）２．０規格で規定された転送速度でデータ転送すること
を特徴とする請求項１記載のデータ記憶装置。
【請求項３】
上記第２のデータ転送手段は、ＵＳＢ（Universal Serial Bus）１．１規格で規定された転送速度以下でデータ転送すること
を特徴とする請求項１記載のデータ記憶装置。
【請求項４】
上記第２のデータ転送手段は、ＲＳ２３２Ｃ規格で規定された転送方式及び速度でデータ転送すること
を特徴とする請求項１記載のデータ記憶装置。
【請求項５】
上記切り替え手段は、操作スイッチを有し、
上記操作スイッチが操作されたことに応じて、上記第１のデータ転送手段又は上記第２のデータ転送手段に切り替える電子的なスイッチであること
を特徴とする請求項１記載のデータ記憶装置。
【請求項６】
上記操作スイッチは、当該データ記憶装置の上記外部機器への接続時に自動的に操作されること
を特徴とする請求項５記載のデータ記憶装置。
【請求項７】
上記外部機器から出射される光を受光する受光手段を有し、
上記切り替え手段は、上記受光手段によって所定の光量以上の光を受光したことに応じて、上記第１のデータ転送手段又は上記第２のデータ転送手段に切り替える光学的スイッチであること
を特徴とする請求項１記載のデータ記憶装置。
【請求項８】
上記データ記憶手段は、不揮発性の半導体メモリであること
を特徴とする請求項１記載のデータ記憶装置。
【請求項９】
上記データ記憶手段は、光ディスクを記憶媒体とする光ディスクドライブであること
を特徴とする請求項１記載のデータ記憶装置。
【請求項１０】
上記データ記憶手段は、磁気ディスクを記憶媒体とする磁気ディスクドライブであること
を特徴とする請求項１記載のデータ記憶装置。
【請求項１１】
上記第２のデータ転送手段に代えて、
上記データ記憶手段から読み出されたデジタル音声データをアナログ音声信号に復号する復号手段と、上記復号手段によって復号された上記アナログ音声信号を所定の信号レベルに増幅する第１の増幅手段とからなる音声信号処理手段を備え、
上記音声信号処理手段は、上記切り替え手段によって、当該音声信号処理手段に切り替えられた場合に、上記デジタル音声データを上記アナログ音声信号に復号し、復号した上記アナログ音声信号を所定の信号レベルに増幅し、増幅した上記アナログ音声信号を上記接続インターフェースを介して、上記外部機器に転送すること
を特徴とする請求項１記載のデータ記憶装置。
【請求項１２】
上記接続インターフェース介して、当該データ記憶装置を接続させる外部機器は、転送された上記アナログ音声信号を所望の音量レベルまで増幅する第２の増幅手段と、
上記第２の増幅手段で増幅された上記アナログ音声信号を音声として出力するスピーカユニットとを有するスピーカ装置であること
を特徴とする請求項１１記載のデータ記憶装置。
【請求項１３】
上記接続インターフェースは、第１の接続端子を有し、
上記切り替え手段は、上記第１の接続端子の電気的な状態に応じて、上記第１のデータ転送手段又は上記第２のデータ転送手段に切り替えること
を特徴とする請求項１記載のデータ記憶装置。
【請求項１４】
上記外部機器と、上記接続インターフェースを介して接続した際に、上記第１の接続端子と接続される接地された第２の接続端子を上記外部機器が備えている場合、
上記切り替え手段は、上記第１の接続端子と上記第２の接続端子とが接続され、上記第１の接続端子の電気的状態が低電位状態となったことに応じて、上記第２のデータ転送手段に切り替え、
上記外部機器と、上記接続インターフェースを介して接続した際に、上記第１の接続端子と接続される端子を上記外部機器が備えていない場合、
上記切り替え手段は、上記第１の接続端子の電気的状態が高電位状態となったことに応じて、上記第１のデータ転送手段に切り替えること
を特徴とする請求項１３記載のデータ記憶装置。
【請求項１５】
第１の接続インターフェースを有するデータ記憶装置と、上記第１の接続インターフェースと接続される第２の接続インターフェースを有するスピーカ装置とを備える音声再生システムであって、
上記データ記憶装置は、
高速データ転送を行うデータ転送手段と
デジタル音声データを記憶するデータ記憶手段と、
上記データ記憶手段から読み出されたデジタル音声データをアナログ音声信号に復号する復号手段と、上記復号手段によって復号されたアナログ音声信号を所定の信号レベルまで増幅する第１の増幅手段とからなり、上記増幅した上記アナログ音声信号を上記第１の接続インターフェース、上記第２の接続インターフェースを介して上記スピーカ装置に転送する音声信号処理手段と、
当該データ記憶装置が、上記スピーカ装置に接続されたことに応じて、上記データ転送手段から上記音声信号処理手段に切り替える切り替え手段とを有し、
上記スピーカ装置は、上記データ記憶装置が、当該スピーカ装置に接続されたことに応じて、上記データ転送手段から上記音声信号処理手段へと切り替えるように、上記切り替え手段を操作する操作手段と、
上記第１の接続インターフェース、上記第２の接続インターフェースを介して、上記データ記憶装置の上記音声信号処理手段から転送されたアナログ音声信号を所望の音量レベルまで増幅する第２の増幅手段と、
上記第２の増幅手段で増幅された上記アナログ音声信号を音声として出力するスピーカユニットとを有すること
を特徴とする音声再生システム。
【発明の詳細な説明】
【技術分野】
【０００１】
本発明は、ＵＳＢ（Universal Serial Bus）をインターフェースとするＵＳＢ機器に関するものであり、詳しくは、上記ＵＳＢ機器において、データを記憶する記憶手段を備えたデータ記憶装置及び、このデータ記憶装置を用いた音声再生システムに関する。
【背景技術】
【０００２】
ＵＳＢ（Universal Serial Bus）は、ＰＣ（Personal Computer）などの外部周辺機器とのインターフェースとして大変普及しており、ＵＳＢをインターフェースとするＵＳＢ機器として、様々なＵＳＢデバイスが考案されている。
【０００３】
例えば、接続インターフェースとしてＵＳＢを備えた記憶メディアは、当該記憶メディアにファイルシステムを備え、上記ファイルシステムによってデータの管理を行うこと、また、非常に高い可搬性があることから、新たなメディアとしてユーザに確実に普及している。接続インターフェースにＵＳＢを備えたこの記憶メディアは、ＵＳＢを介して、例えば、ＰＣなどに接続され、テキストデータ、音楽データ、画像データ、動画像データといった様々なデータが記憶されることになる。
【０００４】
ところで、現時点でのＵＳＢ規格は、ＵＳＢインプリメンターズフォーラム（ＵＳＢ−ＩＦ）によって制定されたＵＳＢ２．０規格が最新規格となっている。このＵＳＢ２．０規格では、従来までのＵＳＢ１．１規格において、１２Ｍｂｐｓ（フルスピードモード）であった最大転送速度を、４８０Ｍｂｐｓ（ハイスピードモード）まで上げることを可能としている。ＵＳＢ２．０規格によって制定された４８０Ｍｂｐｓという最大転送速度は、非常に高速であるため、例えば、容量の大きい高画質な動画像データの扱いを容易にしたり、ハードディスクドライブや、ＤＶＤドライブなどをＵＳＢデバイスとすることも可能としたり、ＵＳＢデバイスの可能性を大幅に広げることになった。
【０００５】
【特許文献１】特開２００１−１１７７７８号公報
【発明の開示】
【発明が解決しようとする課題】
【０００６】
このように、ＵＳＢ２．０規格を採用したＵＳＢデバイスは、転送速度を非常に速くすることができる。しかしながら、最大転送速度４８０Ｍｂｐｓに近づけるように、転送速度を高くすればするほど、それに伴い消費電力も大きくなってしまうといった問題がある。例えば、ＵＳＢ２．０規格を採用したＵＳＢデバイスを携帯端末装置などに接続して使用する場合などは、携帯端末装置の限られた電源供給能力を短時間で消費してしまうことになる。
【０００７】
また、ＵＳＢデバイスの使用状況においては、必ずしも高速な転送速度でデータ転送をしなくともよい場合がある。例えば、ネットワークなどから音楽データや画像データをＵＳＢデバイスにダウンロードする場合などは、転送速度が高速であるほうがよい。しかしながら、ＵＳＢデバイスに記憶された音楽データを再生する場合などは、高速な転送速度は、必要なく、上述したように、携帯端末装置にて再生する場合などは特に、低消費電力で再生されることが望まれる。
【０００８】
ＵＳＢ２．０規格は、ＵＳＢ１．１規格に対して上位互換性があるため、ＵＳＢ１．１規格にも対応している。例えば、ＵＳＢデバイスがＵＳＢ２．０規格に対応しているが、ホスト機器であるＰＣがＵＳＢ１．１規格にしか対応していない場合でも、ＵＳＢデバイスと、ＰＣとは、ＵＳＢ１．１規格に準拠してデータ転送を行うことができる。
【０００９】
ところが、このような場合、データ転送速度がＵＳＢ１．１規格の最大転送速度１．５Ｍｂｐｓ（ロースピードモード）以下、又は最大転送速度１２Ｍｂｐｓ（フルスピードモード）以下に下がっているにも関わらず、回路構成上、ＵＳＢデバイスの消費電力があまり下がらず、無駄に電力消費してしまっているといった問題がある。
【００１０】
つまり、ＵＳＢ２．０を採用すれば、ＵＳＢ２．０規格で策定された高速な転送速度でデータ転送を行うモード、従来からのＵＳＢ１．１で策定された低速な転送速度でデータ転送を行うモードを、どちらも利用することができるが、厳密には、不必要な電力が消費されしまい、用途に応じて消費電力も含めて、最適な転送速度の選択をすることができていないといった問題がある。
【００１１】
そこで、本発明は、上述したような問題を解決するために案出されたものであり、使用用途に応じて、最適なデータ転送手段を自在に選択できるデータ記憶装置及びこのデータ記憶装置を用いた音声再生システムを提供することを目的とする。
【課題を解決するための手段】
【００１２】
上述の目的を達成するために、本発明に係るデータ記憶装置は、外部機器との接続インターフェースと、高速データ転送を行う第１のデータ転送手段と、低消費電力でのデータ転送を行う第２のデータ転送手段と、上記第１のデータ転送手段と、上記第２のデータ転送手段とを切り替える切り替え手段と、上記切り替え手段によって切り替えられた、上記第１のデータ転送手段又は上記第２のデータ転送手段による上記接続インターフェースを介した上記外部機器とのデータ転送にて転送されたデータ及び、上記切り替え手段によって切り替えられた、上記第１のデータ転送手段又は上記第２のデータ転送手段による上記接続インターフェースを介した上記外部機器とのデータ転送にて転送するデータを記憶するデータ記憶手段とを備えることを特徴とする。
【００１３】
上述の目的を達成するために、本発明に係る音声再生システムは、第１の接続インターフェースを有するデータ記憶装置と、上記第１の接続インターフェースと接続される第２の接続インターフェースを有するスピーカ装置とを備える音声再生システムであって、上記データ記憶装置は、高速データ転送を行うデータ転送手段と、デジタル音声データを記憶するデータ記憶手段と、上記データ記憶手段から読み出されたデジタル音声データをアナログ音声信号に復号する復号手段と、上記復号手段によって復号されたアナログ音声信号を所定の信号レベルまで増幅する第１の増幅手段とからなり、上記増幅した上記アナログ音声信号を上記第１の接続インターフェース、上記第２の接続インターフェースを介して上記スピーカ装置に転送する音声信号処理手段と、当該データ記憶装置が、上記スピーカ装置に接続されたことに応じて、上記データ転送手段から上記音声信号処理手段に切り替える切り替え手段とを有することを特徴とする。また、上記スピーカ装置は、上記データ記憶装置が、当該スピーカ装置に接続されたことに応じて、上記データ転送手段から上記音声信号処理手段へと切り替えるように、上記切り替え手段を操作する操作手段と、上記第１の接続インターフェース、上記第２の接続インターフェースを介して、上記データ記憶装置の上記音声信号処理手段から転送されたアナログ音声信号を所望の音量レベルまで増幅する第２の増幅手段と、上記第２の増幅手段で増幅された上記アナログ音声信号を音声として出力するスピーカユニットとを有することを特徴とする。
【発明の効果】
【００１４】
本発明のデータ記憶装置は、高速データ転送を行う場合には、第１のデータ転送手段に切り替え、低消費電力でのデータ転送を行う場合には、第２のデータ転送手段に切り替えてデータ転送を行うことができる。
【００１５】
したがって、外部機器へ接続した当該データ記憶装置で扱うデータの種別、当該データ記憶装置を接続させる外部機器の性能などに応じて、第１の転送手段、第２の転送手段を適宜切り替え、状況に応じたデータ転送を実行することで、例えば、大容量データを転送する際の時間短縮、限られた容量の電源しか搭載することができない外部機器へ接続した際の長時間使用など、使用用途に応じた最適なデータ転送を実現することを可能とする。
【００１６】
また、本発明の音声再生システムは、スピーカ装置へデータ記憶装置を接続した際に、高速データ転送を行うデータ転送手段から、音声信号処理手段へと切り替わり、デジタル音声データの復号処理が実行される。
【００１７】
これにより、記憶手段に記憶されたデジタル音声データを、簡便な操作にて手軽に再生し、ユーザに提供することを可能とする。
【発明を実施するための最良の形態】
【００１８】
以下、本発明に係るデータ記憶装置及び音楽再生システムの発明を実施するための最良の形態を図面を参照して詳細に説明する。
【００１９】
｛第１の実施の形態｝
図１は、本発明を実施するための最良の形態として示すリムーバブルなデータ記憶装置である記憶メディア１０の使用形態を示した図である。
【００２０】
図１に示すように、記憶メディア１０は、外部機器であるＰＣ（Personal Computer）２１が備える接続インターフェースであるＵＳＢ（Universal Serial Bus）ジャック２２に当該記憶メディア１０が備える接続インターフェースであるＵＳＢプラグ１１を差し込むことで使用可能となる。このように、記憶メディア１０は、外部機器であるＰＣ２１に直接接続されることで、ＰＣ２１のデータストレージ、つまり外部メモリとして機能する。
【００２１】
この、記憶メディア１０が接続されるＰＣ２１は、所定のＯＳ（Operating System）の制御の元に動作する。また、ＰＣ２１は、当該ＰＣで実行処理した結果などを表示するためのモニタ２３を備えている。図１に示すように、記憶メディア１０は、切り替えスイッチ１２を備えており、この切り替えスイッチ１２によって、後述する第１のインターフェースコントローラ１３と、第２のインターフェースコントローラ１４とを切り替えることになる。
【００２２】
後で、詳細に説明をするが、記憶メディア１０は、ＰＣ２１のみならず、ＵＳＢプラグ１１に接続可能なＵＳＢジャックを備えている外部機器に接続して、使用することができる。
【００２３】
続いて、図２を用いて、記憶メディア１０の構成について説明をする。記憶メディア１０は、上述したＵＳＢプラグ１１と、切り替えスイッチ１２と、第１のインターフェースコントローラ１３と、第２のインターフェースコントローラ１４と、セレクタ１５と、ＲＯＭ（Read Only Memory）１６と、ＲＡＭ（Random Access Memory）１７と、ＣＰＵ（Central Processing Unit）コア１８と、メモリコントローラ１９と、フラッシュメモリ２０とを備えている。第１のインターフェースコントローラ１３と、第２のインターフェースコントローラ１４と、セレクタ１５と、ＲＯＭ１６と、ＲＡＭ１７と、ＣＰＵコア１８と、メモリコントローラ１９とは、バス２５を介してそれぞれ接続されている。また、切り替えスイッチ１２からは、第１のインターフェースコントローラ１３、第２のインターフェースコントローラ１４、セレクタ１５、ＣＰＵコア１８に対する制御信号線が形成されている。
【００２４】
ＵＳＢプラグ１１は、上述したように、外部機器のＵＳＢインターフェース、例えば、図１に示したＰＣ２１のＵＳＢジャック２２と接続するためのＵＳＢインターフェースである。ＵＳＢプラグ１１を介して、ＰＣ２１と接続された当該記憶メディア１０は、ＰＣ２１から電源供給を受けることで動作し、ＰＣ２１とデータ通信を行う。
【００２５】
切り替えスイッチ１２は、上述したように、第１のインターフェースコントローラ１３と、第２のインターフェースコントローラ１４とを切り替えるスイッチであり、スイッチを切り替えることで、いずれかのインターフェースコントローラが選択されることになる。
【００２６】
例えば、切り替えスイッチ１２をＡ側にした場合は、第１のインターフェースコントローラ１３をアクティブにする制御信号が供給され、データ転送を担うインターフェースコントローラが、第２のインターフェースコントローラ１４から、第１のインターフェースコントローラ１３へと切り替えられる。また、切り替えスイッチ１２をＢ側にした場合は、第２のインターフェースコントローラ１４をアクティブにする制御信号が供給され、データ転送を担うインターフェースコントローラが、第１のインターフェースコントローラ１３から第２のインターフェースコントローラ１４へと切り替えられる。
【００２７】
切り替えスイッチ１２が、切り替えられた場合、セレクタ１５、ＣＰＵコア１８へも制御信号が供給される。
【００２８】
第１のインターフェースコントローラ１３は、ＵＳＢプラグ１１を介して接続された外部機器とのデータ転送において、低消費電力でのデータ転送よりも高速でデータ転送を行うことを優先させるインターフェースコントローラＩＣ（Integrated Circuit）である。第１のインターフェースコントローラ１３は、例えば、ＵＳＢ２．０規格に対応し、データ転送をＵＳＢプロトコルに基づき制御するＵＳＢコントローラである。
【００２９】
ＵＳＢ２．０規格は、ＵＳＢ１．１規格に対して上位互換のあるＵＳＢ規格であって、最大転送速度が４８０Ｍｂｐｓのハイスピードモードが用意されており、ハードディスクドライブ、ＤＶＤドライブなどの高速な転送速度を必要とするマスストレージ機器、フルモーションビデオなどのマルチメディアデータなどを扱うことができる。
【００３０】
第２のインターフェースコントローラ１４は、ＵＳＢプラグ１１を介して接続された外部機器とのデータ転送において、高速でのデータ転送よりも低消費電力でのデータ転送を行うことを優先させるインターフェースコントローラＩＣである。第２のインターフェースコントローラ１４は、例えば、ＵＳＢ１．１規格に対応し、データ転送をＵＳＢプロトコルに基づき制御するＵＳＢコントローラである。
【００３１】
ＵＳＢ１．１規格は、最大転送速度が１２Ｍｂｐｓのフルスピードモードと、最大転送速度１．５Ｍｂｐｓのロースピードモードとが用意されており、デバイスで要求されるスペックに応じて選択することになる。当然、ロースピードモードを選択した方が、消費電力を低くすることができる。第２のインターフェースコントローラ１４では、できるだけ消費電力を低くすることを主眼とするため、例えば、ロースピードモードを採用することにする。
【００３２】
セレクタ１５は、切り替えスイッチ１２からの制御信号に応じて、第１のインターフェースコントローラ１３のデータ入出力ピン又は第２のインターフェースコントローラ１４のデータ入出力ピンと、ＵＳＢプラグ１１のデータ入出力ピン（−Data（−D），＋DATA（＋D））とを物理的に接続させ、当該記憶メディア１０と、外部機器との物理的なデータ転送環境を形成する。
【００３３】
ＲＯＭ１６は、ＣＰＵコア１８で実行するファームウェアや、ファイルシステムを格納しているメモリである。ＲＡＭ１７は、ＣＰＵコア１８のワーキング用のメモリである。
【００３４】
ＣＰＵコア１８は、ＲＯＭ１６に格納されているファームウェアや、ファイルシステムを実行して、当該記憶メディア１０の動作を統括的に制御する。ＣＰＵコア１８は、上記ファイルシステムに基づいてメモリコントローラ１９を制御し、ＰＣ２１からＵＳＢプラグ１１を介して転送されたデータを、フラッシュメモリ２０に書き込んで記憶させたり、記憶させたデータを読み出してＵＳＢプラグ１１を介してＰＣ２１に転送したりすることで、当該記憶メディア１０をデータストレージとして機能させる。
【００３５】
ＣＰＵコア１８は、切り替えスイッチ１２によって、使用するインターフェースコントローラが、第１のインターフェースコントローラ１３又は第２のインターフェースコントローラ１４のいずれかに切り替えられたことに応じて、それぞれのインターフェースコントローラで実行するデータ転送が最適となるように、当該記憶メディア１０の制御可能な全ての回路の制御を行う。
【００３６】
例えば、第１のインターフェースコントローラ１３に切り替えられた場合は、高速でのデータ転送を最優先させるため、第１のインターフェースコントローラ１３での消費電力は無視し、できるだけ高速化させるように最適化を行う。もちろん、このとき、第１のインターフェースコントローラ１３によるデータ転送に必要のない回路、高速データ転送に影響のない回路への電源供給を停止させるようにする。
【００３７】
また、第２のインターフェースコントローラ１４に切り替えられた場合は、消費電力を低減させることを最優先させるため、第１のインターフェースコントローラ１４はもちろんのこと、必要のない回路への電源供給を全てやめ、低消費電力のデータ転送を実現するために最適化を行う。
【００３８】
メモリコントローラ１９は、ＲＯＭ１６からＣＰＵコア１８に読み出されたファイルシステムによって制御され、フラッシュメモリ２０に記憶するデータをファイルとして管理しながら、フラッシュメモリ２０へのデータの書き込み、フラッシュメモリ２０に記憶されたデータの読み出しを制御する。
【００３９】
フラッシュメモリ２０は、当該記憶メディア１０の記憶部であり、ＲＯＭ１６からＣＰＵコア１８に読み出されたファイルシステムによって、メモリコントローラ１９でファイルとして管理されるデータを記憶する。
【００４０】
このように、記憶メディア１０が備える第１のインターフェースコントローラ１３と、第２のインターフェースコントローラ１４とは、それぞれ異なる性能を有しており、ユーザは、当該記憶メディア１０で扱うデータの種別、当該記憶メディア１０を接続する外部機器の性能、外部機器へ接続した際の使用環境などに応じて、上述した切り替えスイッチ１２によって、第１のインターフェースコントローラ１３又は第２のインターフェースコントローラ１４を適宜切り替えて使用することになる。
【００４１】
例えば、ユーザは、ネットワークに接続されたＰＣ２１に記憶メディア１０を接続し、ネットワークを介したデータサーバから動画像ファイルや音楽ファイルなどをダウンロードする際には、高速でのデータ転送をすることができる第１のインターフェースコントローラ１３が使用可能となるように切り替えスイッチ１２を切り替える。これにより、比較的容量の大きな音楽ファイルや、大容量の動画像ファイルをダウンロードする際の時間を短縮させることができる。
【００４２】
また、例えば、ユーザは、ダウンロードをした音楽ファイルを再生する場合には、低消費電力でのデータ転送を行う第２のインターフェースコントローラ１４が使用可能となるように切り替えスイッチ１２を切り替える。
【００４３】
例えば、圧縮率の高さからインターネット上では一般的となっている、ＭＰ３（Moving Picture Experts Group Layer-III）ファイル形式の音楽ファイルを再生させるには、ＣＤ（Compact Disc）程度の音質を要求する場合でも、転送速度が、１２８Ｋｂｐｓと低速で十分である。したがって、上述したように、第２のインターフェースコントローラ１４を使用可能とすることで低消費電力での音楽再生を実現することができる。
【００４４】
このように、切り替えスイッチ１２は、第１のインターフェースコントローラ１３と、第２のインターフェースコントローラ１４とを切り替え、高速でのデータ転送を行うモードと、低消費電力でのデータ転送を行うモードとを切り替える際のスイッチとして機能する。この切り替えスイッチ１２は、このような用途ばかりだけではなく、記憶手段であるフラッシュメモリ２０への書き込み制限をするライトプロテクトに用いることもできる。
【００４５】
ところで、本発明の第１の実施の形態として、図１では、記憶メディア１０をＰＣ２１に接続して使用する場合について説明したが、本発明を適用した記憶メディア１０を、例えば、ＭＰ３ファイル形式の音楽ファイルを再生する音楽再生装置に接続させることもできる。続いて、このような音楽再生装置に、記憶メディアを接続して使用する場合について説明をする。
【００４６】
｛第２の実施の形態｝
図３に、本発明の第２の実施の形態として示す記憶メディア４０と、この記憶メディア４０を接続可能な音楽再生装置３０を示す。記憶メディア４０は、図１，２で示した記憶メディア１０の切り替えスイッチ１２に代えて、後述する切り替えスイッチ４２が設けられている。なお、それ以外に関しては、図２に示す記憶メディア１０と、全く同じであるため、重複する個所の詳細な説明は、省略をする。
【００４７】
音楽再生装置３０は、例えば、上述しＭＰ３ファイル形式の音楽ファイルを再生する携帯型のＭＰ３プレーヤであり、再生された音楽ファイルを音声として出力するためのステレオイヤホーン３１と、当該音楽再生装置３０を操作するジョグダイヤルコントローラ３２と、音楽ファイルのタイトルや、操作状況を表示するディスプレイ３３などを備えている。音楽再生装置３０は、図示しないバッテリーを搭載しており、バッテリーを電源として駆動することになる。
【００４８】
音楽再生装置３０は、当該音楽再生装置３０の筐体３０ａに、記憶メディア４０を挿入する開口部３４が形成されている。この開口部３４内には、記憶メディア４０を挿入した際に、ＵＳＢプラグ１１と接続するための接続インターフェースであるＵＳＢジャック３５が設けられている。
【００４９】
また、開口部３４内には、棒状のスイッチ操作部３６が形成されている。このスイッチ操作部３６は、記憶メディア４０の切り替えスイッチ１２に代えて、図３に示す領域Ｗで示すような切り替えスイッチ４２を設けた場合に、当該切り替えスイッチ４２を操作するための操作手段として機能する。
【００５０】
切り替えスイッチ４２は、記憶メディア４０の筐体４０ａに形成された開口部４１内に設けられており、図３の領域Ｗに示すように、スイッチ部４２ａと、入力レバー４２ｂとからなるスイッチである。切り替えスイッチ４２の入力レバー４２ｂは、記憶メディア４０を、音楽再生装置３０の開口部３４から挿入して、ＵＳＢプラグ１１と、ＵＳＢジャック３５とを接続させる場合に、記憶メディア４０の開口部４１へと導かれたスイッチ操作部３６によって作用し、スイッチ部４２ａのツマミ４２ａ１を矢印Ａ方向に押下する。
【００５１】
記憶メディア４０では、このスイッチ部４２ａのツマミ４２ａ１が押下されない状態では、第１のインターフェースコントローラ１３がアクティブとなっており、高速データ転送を優先的に行うモードとなっている。また、スイッチ部４２ａのツマミ４２ａ１が押下された場合には、第２のインターフェースコントローラ１４がアクティブとなり、低消費電力でのデータ転送を優先的に行うモードとなる。
【００５２】
したがって、図３に示す音楽再生装置３０に、記憶メディア４０を挿入して使用した場合、記憶メディア４０は、音楽再生装置３０に搭載されたバッテリーを電源として起動し、第２のインターフェースコントローラ１４がアクティブとなる。記憶メディア４０は、低消費電力でのデータ転送を優先的に行うモードとなり、アクティブとなった第２のインターフェースコントローラ１４によって、フラッシュメモリ２０に記憶された音楽ファイルを、音楽再生装置３０に転送することになる。
【００５３】
上述したように、音楽ファイルは、転送速度が、１２８ｋｂｐｓといった低い転送速度であっても、十分に高音質の音声として再生することが可能であり、音楽再生装置３０に接続された記憶メディア４０は、第２のインターフェースコントローラ１４によって非常に低消費電力でのデータ転送を実行することになる。したがって、携帯型の音楽再生装置３０に搭載されているバッテリーを無駄に消費することがないため、第１のインターフェースコントローラ１３を用いた場合よりも、長時間の音楽再生を実現することができる。
【００５４】
このように、切り替えスイッチ４２は、第１のインターフェースコントローラ１３と、第２のインターフェースコントローラ１４とを切り替え、高速でのデータ転送を行うモードと、低消費電力でのデータ転送を行うモードとを切り替える際のスイッチとして機能する。この切り替えスイッチ４２は、このような用途ばかりだけではなく、記憶手段であるフラッシュメモリ２０への書き込み制限をするライトプロテクトに用いることもできる。
【００５５】
記憶メディア４０は、外部機器へ接続していない場合、ライトプロテクトされている状態となっており、例えば、動画像を記録するビデオカメラに記憶メディア４０を接続させて、切り替えスイッチ４２が作動すると、ライトプロテクトが解除されフラッシュメモリ２０への書き込みが可能となる。したがって、記憶メディア４０の場合、切り替えスイッチ４２に直接触れることができない構成となっているため、切り替えスイッチ４２が作動していない限り、誤った操作をしたとしてもフラッシュメモリ２０内のデータが破壊されてしまうことの危険性を回避できる。
【００５６】
上述したように、第２の実施の形態として示した記憶メディア４０は、音楽再生装置３０のスイッチ操作部３６と連動して作用するメカニカルな切り替えスイッチ４２を備えている。この切り替えスイッチ４２は、単純な機構であり、使用する部材も非常に安価であるため、記憶メディア４０を低コストで製造することができる。しかし、この切り替えスイッチ４２を設けたことで、記憶メディア４０は、若干大型化してしまうことになる。そこで、以下に示す第３の実施の形態においては、記憶メディアを小型化した場合について説明をする。
【００５７】
｛第３の実施の形態｝
図４（ａ），（ｂ），（ｃ）を用いて、第３の実施の形態として示す記憶メディア５０について説明をする。図４（ａ）に示すように記憶メディア５０は、上述した記憶メディア１０，４０と同様にＵＳＢプラグ１１を備えている。そして、この記憶メディア５０の筐体５０ａは、長手方向と垂直な方向である幅が、ＵＳＢプラグ１１の幅と同じサイズとなっており、記憶メディア１０，４０と比較して非常に小型化されているのが分かる。後で、説明をするが、記憶メディア５０の機能は、記憶メディア１０，４０と全く同じであり、構成する機能部もほぼ同一である。記憶メディア５０は、記憶メディア１０，４０には、それぞれ備えられていた切り替えスイッチ１２，４２のような、第１のインターフェースコントローラ１３と、第２のインターフェースコントローラ１４とを切り替えるためのスイッチを筐体５０ａに備えていない。
【００５８】
同じく、図４（ａ）には、この記憶メディア５０を接続する外部機器側、例えば、図３で示したような、低消費電力でのデータ転送が望まれる音楽再生装置３０などに備えられている接続インターフェース部６０を示している。接続インターフェース部６０は、基板６２上に、外部機器側の図示しないインターフェースコントローラなどのＩＣ回路を搭載し、記憶メディア５０のＵＳＢプラグ１１と接続するＵＳＢジャック６１をＵＳＢジャック６１の接続端子ピンの電気的接続を施して搭載している。
【００５９】
また、基板６２上には、所定の波長の光を発光する発光ダイオード６３が搭載され、その発光部には、発光された光を導光するために光ファイバ６４が接続されている。この光ファイバ６４は、ＵＳＢジャック６１の開口部６１ａと対向する面である背面部６１ｂからＵＳＢジャック６１内部に導かれている。発光ダイオード６３は、常にＯＮ状態となっており、常時、光を出射している。
【００６０】
図４（ｂ）は、図４（ａ）に示すＸＸ線で、記憶メディア５０、接続インターフェース部６０をそれぞれ切断した際の断面図である。また、図４（ｃ）は、図４（ａ）に示すＹＹ線で、記憶メディア５０、接続インターフェース部６０をそれぞれ切断した際の断面図である。
【００６１】
図４（ｂ），（ｃ）に示す、ＵＳＢプラグ１１と、ＵＳＢジャック６１とは、ＵＳＢジャック６１の開口部６１ａからＵＳＢジャック６１内に、ＵＳＢプラグ１１が挿入されることで接続される。このとき、ＵＳＢジャック６１の端子保持部６５は、ＵＳＢプラグ１１の開口部１１ａから、ＵＳＢプラグ１１内に挿入され、端子保持部６５が保持する接続端子ピン６６と、ＵＳＢプラグ１１内の端子保持部５３が保持する接続端子ピン５４とが電気的に接続されることになる。
【００６２】
図４（ｂ），（ｃ）に示すように、ＵＳＢジャック６１の背面部６１ｂに導かれた光ファイバ６４は、ＵＳＢジャック６１内部の接続端子ピン６６を保持する端子保持部６５を貫通し、開口部６１ａ近傍まで導かれている。
【００６３】
また、図４（ｂ），（ｃ）に示すように記憶メディア５０のＵＳＢプラグ１１は、ＵＳＢジャック６１と接続する際に、端子保持部６５が挿入される開口部１１ａと対向する背面部１１ｂに貫通穴５１が形成されている。この貫通穴５１は、ＵＳＢプラグ１１と、ＵＳＢジャック６１とを接続させた際に、上述したＵＳＢジャック６１の開口部６１ａ近傍まで導かれた光ファイバ６４から出射される光が入射される穴である。
【００６４】
光ファイバ６４から出射され、貫通穴５１を通過した光は、ＵＳＢプラグ１１の後方に設けられたフォトディテクタ５２に照射される。フォトディテクタ５２は、光エネルギーを電気エネルギーに変換する受光素子であり、ここでは、光ファイバ６４から出射され照射された光を電気信号に変換することになる。
【００６５】
次に、図５を用いて、記憶メディア５０の構成について説明をする。図５に示すように、記憶メディア５０は、図２で示した記憶メディア１０にフォトディテクタ５２を加え、切り替えスイッチ１２を、切り替えスイッチ５５に代えた構成となっている。なお、図５に示す記憶メディア５０の構成において、上述した記憶メディア１０の構成と同じ機能部には、同一符号を付し説明を省略する。
【００６６】
フォトディテクタ５２は、上述したように、光エネルギーを電気エネルギーに変換する受光素子であり、ＵＳＢジャック６１と、ＵＳＢプラグ１１とを接続させた際に、光ファイバ６４から出射される光を受光して電気信号に変換する。フォトディテクタ５２で変換された電気信号は、ＣＰＵコア１８に通知されることになる。
【００６７】
切り替えスイッチ５５は、ＣＰＵコア１８からの制御によって、第１のインターフェースコントローラ１３と、第２のインターフェースコントローラ１４とを切り替える、例えばＭＯＳ（Metal Oxide Semiconductor）スイッチなどである。
【００６８】
ＣＰＵコア１８は、フォトディテクタ５２で光を受光したことによる電気信号を受け取ると、切り替えスイッチ５５へ、例えば、第１のインターフェースコントローラ１３から第２のインターフェースコントローラ１４へと切り替えるように、切り替えスイッチ５５に命令する。
【００６９】
上述したように、外部機器側に設けられた接続インターフェース部６０が備える発光ダイオード６３は、常に光を出射しているため、ＵＳＢプラグ１１と、ＵＳＢジャック６１とが接続されている間は、フォトディテクタ５２は、常に、一定の光量の光を受光することになる。したがって、フォトディテクタ５２が光を受光している間は、ＣＰＵコア１８は、常に、第２のインターフェースコントローラ１４のみを動作させるように制御することになる。
【００７０】
また、この記憶メディア５０を、接続インターフェース部６０のような機構を有していない、例えば、上述したようなＰＣ２１に接続させた場合には、フォトディテクタ５２で所定の光量の光を受光することがないため、ＣＰＵコア１８は、切り替えスイッチ５５を制御して、例えば、第２のインターフェースコントローラ１４から第１のインターフェースコントローラ１３へと切り替えるように制御する。
【００７１】
このように、記憶メディア５０は、ＵＳＢプラグ１１内部に光を受光するフォトディテクタ５２を備え、記憶メディア５０を接続する外部機器側に設けられる接続インターフェース部６０においても、ＵＳＢジャック６１内部に、常に光を出射している発光ダイオード６３、そして、出射された光を導く光ファイバ６４を備えることで、ＵＳＢプラグ１１と、ＵＳＢジャック６１とを接続した際には、第２のインターフェース部１４へと切り替えることができる。
【００７２】
したがって、記憶メディア５０は、第１の実施の形態で示した記憶メディア１０や、第２の実施の形態で示した記憶メディア４０と同等の機能、つまり、第１のインターフェースコントローラ１３による転送速度を優先させたモードと、第２のインターフェースコントローラ１４による低消費電力を優先させたモードとを適宜、状況に応じて切り替える機能を有しながら、サイズを格段に小型化させることができる。
【００７３】
このように、切り替えスイッチ５５は、第１のインターフェースコントローラ１３と、第２のインターフェースコントローラ１４とを切り替え、高速でのデータ転送を行うモードと、低消費電力でのデータ転送を行うモードとを切り替える際のスイッチとして機能する。この切り替えスイッチ５５は、このような用途ばかりだけではなく、記憶手段であるフラッシュメモリ２０への書き込み制限をするライトプロテクトに用いることもできる。
【００７４】
記憶メディア５０は、外部機器へ接続していない場合、ライトプロテクトされている状態となっており、例えば、動画像を記録するビデオカメラに記憶メディア５０を接続させて、切り替えスイッチ５５が作動すると、ライトプロテクトが解除されフラッシュメモリ２０への書き込みが可能となる。したがって、記憶メディア５０の場合、切り替えスイッチ５５に直接触れることができない構成となっているため、切り替えスイッチ５５が作動していない限り、誤った操作をしたとしてもフラッシュメモリ２０内のデータが破壊されてしまうことの危険性を回避できる。
【００７５】
｛第４の実施の形態｝
上述したように、第１乃至第３の実施の形態として示した記憶メディア１０，４０，５０、それぞれが備える第２のインターフェースコントローラ１４は、転送速度を優先させるためにＵＳＢ２．０規格に対応させた第１のインターフェースコントローラ１３に対して、低消費電力を優先させるＵＳＢ１．１規格に対応させていた。
【００７６】
図６の第４の実施の形態として示す記憶メディア１１０では、低消費電力でのデータ転送を実行する第２のインターフェースコントローラ１４を、ＵＳＢ１．１規格以外のインターフェース規格とした第２のインターフェースコントローラ１１１に代えている。なお、図６に示す記憶メディア１１０において、図２に示した記憶メディア１０の構成と同一の機能部については同一符号を付し説明を省略する。
【００７７】
図６に示す記憶メディア１１０が備える第２のインターフェースコントローラ１１１は、例えば、米国電子工業会（ＥＩＡ）で規定されたＲＳ２３２Ｃである。ＲＳ２３２Ｃ規格は、データの最大転送速度が、２０ｋｂｐｓと非常に低速であるため、ＵＳＢ１．１以上に、低消費電力でのデータ転送をすることが期待できる。さらに、ＲＳ２３２Ｃインターフェースは、制御が簡単なことから、今でも多くの装置に使われており、ＵＳＢと、ＲＳ２３２Ｃとを切り替えて使用することが可能になることで、応用範囲が広がることになる。
【００７８】
切り替えスイッチ１１２は、上述した記憶メディア１０，４０が備えるような、物理的な操作によって、使用するインターフェースコントローラを切り替える切り替えスイッチ１２，４２や、記憶メディア５０が備えるようなフォトディテクタ５２からの電気信号を受けたＣＰＵコア１８の制御によって使用するインターフェースコントローラを切り替える、切り替えスイッチ５５など、どのような切り替えスイッチであってもよい。
【００７９】
セレクタ１１３は、例えば、図７に示すような構成となっている。セレクタ１１３は、第１のインターフェースコントローラ１３から出力されるデータ信号（＋Ｄ）、データ信号（−Ｄ）をそれぞれ転送するデータ信号線１３ａ，１３ｂと、第２のインターフェースコントローラ１１１から出力されるデータ信号（Ｔｘ）、データ信号（Ｒｘ）をそれぞれ転送するデータ信号線１１１ａ，１１１ｂとを切り替えるスイッチ１１３ａ，１１３ｂを備えている。セレクタ１１３は、切り替えスイッチ１１２から制御信号を受け取ると、この制御信号に応じて、データ信号線１３ａ，１３ｂ又はデータ信号線１１１ａ，１１１ｂのいずれかが選択されるように、スイッチ１１３ａ，１１３ｂを切り替える。
【００８０】
スイッチ１１３ａ，１１３ｂは、ＵＳＢプラグ１１の２ピン，３ピンである接続端子１１ａ，１１ｂと接続されており、接続端子１１ａ，１１ｂを介して外部機器７０とのデータ転送がなされることになる。接続端子１１ｃ，１１ｄは、それぞれＵＳＢプラグ１１の１ピン、４ピンであり、電源と、グラウンドとなっている。
【００８１】
図７に示すように、記憶メディア１１０と接続される外部機器７０は、ＵＳＢプラグ１１と、物理的に接続するためにＵＳＢジャック７１を備えているが、データ転送は、ＲＳ２３２Ｃ規格に対応したインターフェースコントローラ７２によって実行されることになる。ＵＳＢジャック７１は、ＵＳＢプラグ１１の接続端子１１ａ，１１ｂと電気的に接続される接続端子７１ａ，７１ｂとを備える。接続端子７１ｃ，７１ｄは、それぞれ電源と、グラウンドとになっている。
【００８２】
このように、外部機器７０は、インターフェースコントローラ７２がＲＳ２３２Ｃ規格に対応しているため、データの転送速度が低い、例えば、音楽再生装置などである。このような外部機器７０に、記憶メディア１１０を接続する場合、切り替えスイッチ１１２によって、第２のインターフェースコントローラ１１１をアクティブにすると共に、セレクタ１１３のスイッチ１１３ａ，１１３ｂを制御して、データ信号線１１１ａ，１１１ｂが選択されるようにする。これにより、第２のインターフェースコントローラ１１１から伸びているデータ信号線１１１ａ，１１１ｂは、ＵＳＢプラグ１１の接続端子１１ａ，１１ｂと接続されるため、転送速度は非常に低速ではあるが、消費電力が非常に少ないＲＳ２３２Ｃ規格に対応したデータ転送を実現することができる。
【００８３】
このように、切り替えスイッチ１１２は、第１のインターフェースコントローラ１３と、第２のインターフェースコントローラ１１１とを切り替え、高速でのデータ転送を行うモードと、低消費電力でのデータ転送を行うモードとを切り替える際のスイッチとして機能する。この切り替えスイッチ１１２は、このような用途ばかりだけではなく、記憶手段であるフラッシュメモリ２０への書き込み制限をするライトプロテクトに用いることもできる。
【００８４】
｛第５の実施の形態｝
続いて、本発明を適用した第５の実施の形態として、図８に示すような音声を出力するスピーカシステム８０を外部機器とし、このスピーカシステム８０に接続させる記憶メディア９０について説明をする。スピーカシステム８０は、ケーブル８４によって互いに接続されたスピーカ装置８１，８２からなり、アウトレット８３ａに接続させたＡＣアダプター８３から供給される電源によって動作するアンプ内蔵型のアクティブ型スピーカシステムである。
【００８５】
スピーカ装置８１の筐体には、上述した第２の実施の形態として示した音楽再生装置３０と同様に、記憶メディア９０を挿入するための開口部８５が設けられ、その内部には、記憶メディア９０のＵＳＢプラグ１１を接続するＵＳＢジャック８８と、棒状のスイッチ操作部８７とが形成されている。このスイッチ操作部８７は、記憶メディア９０に、図８の領域Ｗに示すような切り替えスイッチ９６を設けた場合に、当該切り替えスイッチ９６を操作するための操作手段として機能する。
【００８６】
一方、記憶メディア９０は、上述した第２の実施の形態として示した記憶メディア４０が備えていた切り替えスイッチ４２と同じ機構の切り替えスイッチ９６を備えている。この切り替えスイッチ９６は、記憶メディア９０の筐体９０ａに形成された開口部９７内に設けられており、図８の領域Ｗに示すように、スイッチ部９６ａと、入力レバー９６ｂとからなるスイッチである。
【００８７】
この記憶メディア９０が備える切り替えスイッチ９６の動作機構は、上述した第２の実施の形態として示した記憶メディア４０の切り替えスイッチ４２の動作機構と全く同じであるため説明を省略する。
【００８８】
続いて、図９を用いて、記憶メディア９０の構成について説明をする。記憶メディア９０は、図２に示した記憶メディア１０の第２のインターフェースコントローラ１４に代えて、音声信号処理部９１を備え、セレクタ１５に代えて、セレクタ９５を備え、切り替えスイッチ１２に代えて、上述した切り替えスイッチ９６を備える以外、記憶メディア１０と同じ構成である。なお、図９に示す記憶メディア９０において、図２に示した記憶メディア１０の構成と同一の機能部については同一符号を付し説明を省略する。
【００８９】
音声信号処理部９１は、例えば、図１０に示すように、フラッシュメモリ２０に記憶されているデジタルデータである音楽ファイルをアナログ信号にデコードするデコーダ９２と、デコーダ９２でデコードされたステレオ音声を形成するアナログ信号である右側音声信号を伝送信号レベルまで増幅するアンプ９３と、同じく左側音声信号を伝送信号レベルまで増幅するアンプ９４とからなる。
【００９０】
セレクタ９５は、例えば、図１０に示すような構成となっている。セレクタ９５は、第１のインターフェースコントローラ１３から出力されるデータ信号（＋Ｄ）、データ信号（−Ｄ）をそれぞれ転送するデータ信号線１３ａ，１３ｂと、音声信号処理部９１から出力される右側音声信号、左側音声信号をそれぞれ転送するデータ信号線９１ａ，９１ｂとを切り替えるスイッチ９５ａ，９５ｂを備えている。セレクタ９５は、切り替えスイッチ９６から制御信号を受け取ると、この制御信号に応じて、データ信号線１３ａ，１３ｂ又はデータ信号線９１ａ，９１ｂのいずれかが選択されるように、スイッチ９５ａ，９５ｂを切り替える。
【００９１】
スイッチ９５ａ，９５ｂは、ＵＳＢプラグ１１の２ピン，３ピンである接続端子１１ａ，１１ｂと接続されており、接続端子１１ａ，１１ｂを介してスピーカ装置８１とのデータ転送がなされることになる。接続端子１１ｃ，１１ｄは、それぞれＵＳＢプラグ１１の１ピン、４ピンであり、電源と、グラウンドとなっている。
【００９２】
図１０に示すように、記憶メディア９０と接続されるスピーカ装置８１は、ＵＳＢプラグ１１と、物理的に接続するためにＵＳＢジャック８８を備えており、音声信号処理部９１でデコード処理された音声信号が転送されることになる。ＵＳＢジャック８８は、ＵＳＢプラグ１１の接続端子１１ａ，１１ｂと電気的に接続される接続端子８８ａ，８８ｂとを備える。接続端子８８ｃ，８８ｄは、それぞれ電源と、グラウンドとになっている。
【００９３】
このようなスピーカ装置８１に、記憶メディア９０を接続すると、切り替えスイッチ９６から制御信号がＣＰＵコア１８に対して通知される。これに応じて、ＣＰＵコア１８は、音声信号処理部９１をアクティブとする。
【００９４】
また、切り替えスイッチ９６によって、セレクタ９５のスイッチ９５ａ，９５ｂを制御して、データ信号線９１ａ，９１ｂが選択されるようにする。これにより、音声信号処理部９１から出ているデータ信号線９１ａ，９１ｂは、ＵＳＢプラグ１１の接続端子１１ａ，１１ｂと接続されるため、デコードされた右側音声信号と、左側音声信号とがスピーカシステム８０のスピーカ装置８１へ転送される。
【００９５】
スピーカ装置８１のＵＳＢジャック８８が備える接続端子８８ａに転送された右側音声信号は、スピーカ装置８１のアンプ８１Ａに供給され、所望の音量となるように増幅され、スピーカユニット８１Ｓから音声として出力される。また、スピーカ装置８１のＵＳＢジャック８８が備える接続端子８８ｂに転送された左側音声信号は、スピーカ装置８１の接続コネクタ８９Ａの接続端子８９Ａｂから接続ケーブル８４を介して、スピーカ装置８２の接続コネクタ８９Ｂに伝わる。そして、この左側音声信号は、接続コネクタ８９Ｂの接続端子８９Ｂｂを介してアンプ８２Ａに供給され、所望の音量となるように増幅され、スピーカユニット８２Ｓから音声として出力される。なお、接続端子８９Ａｃ，８９Ｂｃは、電源、接続端子８９Ａｄ，８９Ｂｄは、グラウンドになっている。
【００９６】
このように、記憶メディア９０は、スピーカシステム８０のスピーカ装置８１に接続することで、切り替えスイッチ９６が作動し、音声信号処理部９１が自動的にアクティブになる。また、切り替えスイッチ９６が作動すると、セレクタ９５は、音声信号処理部９１からの出力データをスピーカシステム８０に供給するようにデータ信号線９１ａ，９１ｂを選択する。そして、フラッシュメモリ２０に格納されている音楽ファイルが、ＣＰＵコア１８に制御されたメモリコントローラ１９によって読み出され、音声信号処理部９１でデコード処理されて、スピーカシステム８０に供給されることになる。
【００９７】
このような記憶メディア９０と、スピーカシステム８０との組み合わせは、例えば、ユーザが、記憶メディア９０をＭＰ３プレーヤのような音楽再生装置に接続して、屋外で聞いていた音楽を、記憶メディア９０をスピーカシステム８０に接続させることで、屋内でも容易に再生することができ、ユーザの嗜好する音楽の聴取環境が変化した場合でも手軽に再生させることを可能とする。
【００９８】
このように、切り替えスイッチ９６は、第１のインターフェースコントローラ１３と、音声信号処理部９１とを切り替え、高速でのデータ転送を行うモードと、低消費電力でのデータ転送を行い、音声信号を再生するモードとを切り替える際のスイッチとして機能する。この切り替えスイッチ９６は、このような用途ばかりだけではなく、記憶手段であるフラッシュメモリ２０への書き込み制限をするライトプロテクトに用いることもできる。
【００９９】
第１乃至第５の実施の形態として示した記憶メディア１０，４０，５０，１１０，９０は、記憶手段として不揮発性の半導体メモリであるフラッシュメモリ２０を備えた構成としていたが、例えば、図１１に示すような、ＤＶＤ（Digital Versatile Disk）を記憶媒体とする記憶、再生が可能なＤＶＤドライブ２００とすることもできる。ＤＶＤドライブ２００は、例えば、外部機器であるＰＣ２１と、ＵＳＢジャック２２経由でＵＳＢケーブル２１０を介して接続される。
【０１００】
図示しないがＤＶＤドライブ２００も、記憶メディア１０のように、高速でのデータ転送を実行する第１のインターフェースコントローラ１３、低消費電力でのデータ転送を行う第２のインターフェースコントローラ１４を備えており、切り替えスイッチ２０１で、データの使用状況、接続させる外部機器のスペックなどに応じて切り替えることになる。
【０１０１】
一例として、動画像ファイルを再生する場合を考える。例えば、ＰＣ２１が可搬性を有し、充電池などで動作するいわゆるノート型のＰＣである場合、容量に限りのある充電池を使用しているため、画質の劣化が見込まれるとしても、切り替えスイッチ２０１によって、低消費電力でのデータ転送を行うモードに切り替えることになる。また、ＰＣ２１が室内などで使用される、いわゆるデスクトップ型のＰＣである場合、電力供給が十分行える環境となるため、高画質な動画像再生を実現すべく、切り替えスイッチ２０１によって、高速なデータ転送を行うモードに切り替えることになる。
【０１０２】
また、ＤＶＤドライブ２００は、ＨＤ（Hard Disk）を記憶媒体とするＨＤドライブとすることもできる。
【０１０３】
このように、本発明は、記憶手段の種別に限定されることなく、どのような記憶手段を搭載した装置にも適用することができる。
【０１０４】
｛第６の実施の形態｝
第６の実施の形態では、第１乃至第５の実施の形態として示した記憶メディア１０，４０，５０，１１０，９０における第１のインターフェースコントローラ１３と、第２のインターフェースコントローラ１４、第２のインターフェースコントローラ１１１又は音声信号処理部９１との切り替え手法のバリエーションを示す。
【０１０５】
この切り替え手法のバリエーションについて、一例として、図６、図７に第４の実施の形態として示す記憶メディア１１０に適用させて説明をする。図６、図７で示したように、記憶メディア１１０は、ＵＳＢ２．０規格に対応した第１のインターフェースコントローラ１３と、ＲＳ２３２Ｃ規格に対応した第２のインターフェースコントローラ１１１とを備えており、切り替えスイッチ１１２からの制御信号に応じて、セレクタ１１３のスイッチ１１３ａ、１１３ｂを切り替えることで、データ信号線１３ａ、１３ｂ又はデータ信号線１１１ａ、１１１ｂのいずれかが選択され、第１のインターフェースコントローラ１３又は第２のインターフェースコントローラ１１１によるデータ転送が実行される。
【０１０６】
図１２、１３を用いて、この記憶メディア１１０の切り替えスイッチ１１２に代えて、新たな切り替え手法を適用させた第６の実施の形態として示す記憶メディア１２０について説明をする。図１２、１３に示すように、記憶メディア１２０は、ＵＳＢプラグ１１内に、接続端子Ｓ１を備えている。この接続端子Ｓ１は、セレクタ１１３が備えるスイッチ１１３ａ、１１３ｂ、１１３ｃと接続されている。
【０１０７】
接続端子Ｓ１が電気的にＨｉｇｈ状態になると、データ信号線１３ａ、１３ｂが選択され、さらに第１のインターフェースコントローラ１３へと電源が供給されるように、スイッチ１１３ａ、１１３ｂ、１１３ｃが切り替えらえる。例えば、図１２に示すように、図１で示したような汎用型のＰＣ２１のＵＳＢジャック２２に、記憶メディア１２０を挿入すると、ＵＳＢジャック２２には、ＵＳＢプラグ１１の接続端子Ｓ１と接続する端子が備えられていないため、接続端子Ｓ１を電気的にＨｉｇｈ状態とする。したがって、一般に高速なデータ転送を必要とするＰＣ２１とは、ＵＳＢ２．０規格である第１のインターフェースコントローラ１３を介したデータ転送がなされることになる。
【０１０８】
また、接続端子Ｓ１が電気的にＬｏｗ状態になると、データ信号線１１１ａ、１１１ｂが選択され、さらに第１のインターフェースコントローラ１３への電源供給が遮断されるように、スイッチ１１３ａ、１１３ｂ、１１３ｃが切り替えられる。例えば、図１３に示すように、データの転送速度が遅い図示しない音楽再生装置のＵＳＢジャック１３０に、記憶メディア１２０を挿入すると、ＵＳＢジャック１３０には、ＵＳＢプラグ１１の接続端子Ｓ１と接続するグラウンド（ＧＮＤ）された接続端子Ｓ２が備えられているため、接続端子Ｓ１を電気的にＬｏｗ状態とする。したがって、一般に高速なデータ転送を必要としない音楽再生装置とは、ＲＳ２３２Ｃ規格である第２のインターフェースコントローラ１１１を介したデータ転送がなされることになる。
【０１０９】
この第６の実施の形態として示した記憶メディア１２０の切り替え手法は、第１乃至第５の実施の形態として示した記憶メディア１０，４０，５０，１１０，９０が備える切り替え手法と比較して、非常に簡便な構成であるため、記憶メディア１２０の小型化や、製造コストを大幅に低下させることができるといったメリットがある。
【０１１０】
また、記憶メディア１２０と接続され、低速なデータ転送を実行する、例えば、音楽再生装置においても、ＵＳＢジャック１３０に、接続端子Ｓ２を設けるといった簡便な装置構成のみで、第２のインターフェースコントローラ１１１への切り替えを実行できるため、製造コストを大幅に低下させることができる。
【図面の簡単な説明】
【０１１１】
【図１】本発明の第１の実施の形態として示す記憶メディアの使用状態について示した図である。
【図２】同記憶メディアの構成について説明するためのブロック図である。
【図３】本発明の第２の実施の形態として示す記憶メディアの使用状態について示した図である。
【図４】本発明の第３の実施の形態として示す記憶メディア使用状態について示した図であり、（ａ）は、正面図であり、（ｂ）は、（ａ）に示すＸＸ線で切断した際の断面図であり、（ｃ）は、（ａ）に示すＹＹ線で切断した際の断面図である。
【図５】同記憶メディアの構成について説明するためのブロック図である。
【図６】本発明の第４の実施の形態として示す記憶メディアの構成について説明するためのブロック図である。
【図７】同記憶メディアが備えるセレクタの電気的な切り替え動作について説明するための図である。
【図８】本発明の第５の実施の形態として示すスピーカシステム及び記憶メディアの使用状態について示した図である。
【図９】同記憶メディアの構成について説明するためのブロック図である。
【図１０】同スピーカシステム及び記憶メディアの電気的な接続状態をについて説明するための図である。
【図１１】記憶メディアの別な構成について説明するための図である。
【図１２】本発明の第６の実施の形態として示す記憶メディアと、ＰＣ（Personal Computer）との接続によるインターフェースの切り替え動作について説明するための図である。
【図１３】本発明の第６の実施の形態として示す記憶メディアと、音楽再生装置との接続によるインターフェースコントローラの切り替え動作について説明するための図である。
【符号の説明】
【０１１２】
１０，２０，４０，５０，１１０，９０  記憶メディア、１２，４２，５５，１１２，
９６，２０１  切り替えスイッチ、１３  第１のインターフェースコントローラ、１４，
１１１  第２のインターフェースコントローラ、１５，１１３，９５  セレクタ、２０  
フラッシュメモリ、９１  音声信号処理部、１２０  記憶メディア、１３０  ＵＳＢジャック、Ｓ１，Ｓ２  接続端子
【図１】
2005327247.tif 000003
【図２】
2005327247.tif 000004
【図３】
2005327247.tif 000005
【図４】
2005327247.tif 000006
【図５】
2005327247.tif 000007
【図６】
2005327247.tif 000008
【図７】
2005327247.tif 000009
【図８】
2005327247.tif 000010
【図９】
2005327247.tif 000011
【図１０】
2005327247.tif 000012
【図１１】
2005327247.tif 000013
【図１２】
2005327247.tif 000014
【図１３】
2005327247.tif 000015